(57)【特許請求の範囲】
【請求項１】
紙類を投入する投入口と細断された細断屑を排出する排出口を備えた細断装置と、前記排出口から排出される細断屑を受容する受容位置とこの受容位置から引き出される引出位置との間で移動自在な屑容器と、該屑容器の前記受容位置への移動により前記排出口を開放すると共に、前記屑容器の前記引出位置への移動により前記排出口を閉鎖するように設けられ、かつ、前記排出口を閉鎖する方向に付勢された開閉シャッターと、を備えたシュレッダーにおいて、
前記排出口の近傍に、前記開閉シャッターを閉鎖状態にロックするロック位置と前記開閉シャッターが移動可能な非ロック位置との間で移動自在で、かつ、ロック位置の方向に付勢されたロック部材と、該ロック部材を前記非ロック位置へ移動させる操作レバーと、該操作レバーを覆い、かつ、前記屑容器に設けた爪部または該爪部と同等の道具を用いない操作を阻止するガイドカバーと、を設け、前記屑容器の前記受容位置への移動により、前記屑容器に設けた前記爪部を介して前記操作レバーを操作して前記ロック部材を前記ロック位置から前記非ロック位置へ移動させて、前記排出口を開放するように前記開閉シャッターを移動させることを特徴とするシュレッダー。
【請求項２】
前記ガイドカバーは、前記爪部の移動方向に沿って対向するように形成された一対のカバー部材からなることを特徴とする請求項１に記載のシュレッダー。
【請求項３】
前記一対のカバー部材は、前記爪部側のガイドカバー前半部が、前記爪部に向けて末広がり状に幅広に形成され、前記操作レバーの操作端部が配設されるガイドカバー後半部は、前記爪部の幅よりもわずかに広い幅に形成されていることを特徴とする請求項２に記載のシュレッダー。
【請求項４】
前記ロック部材、前記操作レバー及び前記ガイドカバーは、前記開閉シャッターに設けられていることを特徴とする請求項１〜３のいずれかに記載のシュレッダー。
【発明の詳細な説明】
【技術分野】
【０００１】
本発明は、不用となった紙類を細断するシュレッダーに関するものであり、特に、屑容器の出し入れに連動させて、細断屑を排出する排出口を開閉するシャッターを備えたシュレッダーに関するものである。
【背景技術】
【０００２】
このような形式の従来のシュレッダーとして、図７及び図８に示すようなシュレッダーが特許文献１に開示されている。
図７及び図８に示すシュレッダーは、被細断物６３の挿入口５３と細断された細断屑６４を排出する排出口５４を設けたハウジング５２内に、一対の回転カッター５５を備えた細断機構５６と、回転カッター５５を駆動するモータ５７を組み入れた細断装置５０と、排出口５４から排出される細断屑６４を受け貯める受け入れ位置とこの受け入れ位置から引出された引出し位置との間で移動可能な屑容器５１を備え、さらに、屑容器５１が受け入れ位置にある時に排出口５４を開放し、屑容器５１が引出し位置にある時に排出口５４を閉鎖するシャッター５８を、ハウジング５２の下面に形成したガイドレール５９に沿って摺動自在に備えている。
【０００３】
このシュレッダーでは、図７に示すように、屑容器５１が受け入れ位置にある時は、屑容器５１の上面に設けられ、細断屑６４の受入口６１が形成された蓋体６２の段落側壁６２ａにより、シャッター５８が圧縮スプリング６０の弾性力に抗して排出口５４を開放する位置に移動され、排出口５４が開放される。また、図８に示すように、屑容器５１が引出し位置にある時は、シャッター５８は圧縮スプリング６０の弾性力により排出口５４を閉鎖する方向に押しやられるように構成されている。
【特許文献１】実開昭６４−４８１４６号公報
【発明の開示】
【発明が解決しようとする課題】
【０００４】
特許文献１に示すような従来のシュレッダーは、屑容器の出し入れに連動させて、細断装置の排出口を開閉させるようにしているため、例えば、屑容器の引出しにより排出口をシャッターにより閉鎖できるので、細断装置に残留している細断屑が落下しないように防止することができる。
しかしながら、屑容器を引出した後に、回転カッターの間に引っ掛かって垂れ下がった細断屑を取り除こうとして、手動によりシャッターを押圧操作した際に、シャッターは圧縮スプリングにより押圧されているだけであるため、シャッターが簡単に移動して排出口が開口されてしまうので、作業者が回転カッターに触れたり、或は、高電圧部に接触してしまうおそれがあった。
【０００５】
本発明は、以上のような事情に鑑みてなされたもので、屑容器の出し入れに連動して排出口を開閉する開閉シャッターを備えたシュレッダーにおいて、屑容器を引出した後に、作業者が手動で開閉シャッターを移動させようとしても、特殊な道具を使用しない限り、開閉シャッターを移動させることができないシュレッダーを提供することを目的とする。
【課題を解決するための手段】
【０００６】
上記目的を達成するために、請求項１に記載のシュレッダーに係る発明は、紙類を投入する投入口と細断された細断屑を排出する排出口（３）を備えた細断装置と、前記排出口（３）から排出される細断屑を受容する受容位置とこの受容位置から引き出される引出位置との間で移動自在な屑容器（４０）と、該屑容器（４０）の前記受容位置への移動により前記排出口（３）を開放すると共に、前記屑容器（４０）の前記引出位置への移動により前記排出口（３）を閉鎖するように設けられ、かつ、前記排出口（３）を閉鎖する方向に付勢された開閉シャッター（１５）と、を備えたシュレッダーにおいて、前記排出口（３）の近傍に、前記開閉シャッター（１５）を閉鎖状態にロックするロック位置と前記開閉シャッター（１５）が移動可能な非ロック位置との間で移動自在で、かつ、ロック位置の方向に付勢されたロック部材（３２）と、該ロック部材（３２）を前記非ロック位置へ移動させる操作レバー（３５）と、該操作レバー（３５）を覆い、かつ、前記屑容器（４０）に設けた爪部（４５）または該爪部（４５）と同等の道具を用いない操作を阻止するガイドカバー（２５）と、を設け、前記屑容器（４０）の前記受容位置への移動により、前記屑容器（４０）に設けた前記爪部（４５）を介して前記操作レバー（３５）を操作して前記ロック部材（３２）を前記ロック位置から前記非ロック位置へ移動させて、前記排出口（３）を開放するように前記開閉シャッター（１５）を移動させることを特徴とする。
【０００７】
また、請求項２に記載の発明は、請求項１に記載の発明において、前記ガイドカバー（２５）は、前記爪部（４５）の移動方向に沿って対向するように形成された一対のカバー部材（２６，２６）からなることを特徴とする。
さらに、請求項３に記載の発明は、請求項２に記載の発明において、前記一対のカバー部材（２６，２６）は、前記爪部（４５）側のガイドカバー前半部（２７）が、前記爪部（４５）に向けて末広がり状に幅広に形成され、前記操作レバー（３５）の操作端部（３７）が配設されるガイドカバー後半部（２８）は、前記爪部（４５）の幅よりもわずかに広い幅に形成されていることを特徴とする。
さらに、請求項４に記載の発明は、請求項１〜３のいずれかに記載の発明において、前記ロック部材（３２）、前記操作レバー（３５）及び前記ガイドカバー（２５）は、前記開閉シャッター（１５）に設けられていることを特徴とする。
【発明の効果】
【０００８】
請求項１に記載のシュレッダーに係る発明によれば、排出口の近傍に、開閉シャッターを閉鎖状態にロックするロック位置と開閉シャッターが移動可能な非ロック位置との間で移動自在で、かつ、ロック位置の方向に付勢されたロック部材と、該ロック部材を非ロック位置へ移動させる操作レバーと、該操作レバーを覆い、かつ、屑容器に設けた爪部または該爪部と同等の道具を用いない操作を阻止するガイドカバーと、を設け、屑容器の受容位置への移動により、屑容器に設けた爪部を介して操作レバーを操作してロック部材をロック位置から非ロック位置へ移動させて、排出口を開放するように開閉シャッターを移動させるように構成したので、屑容器を引出した後に、作業者が手動で開閉シャッターを移動させようとしても、開閉シャッターは、ロック部材により閉鎖状態にロックされているため、不用意にシャッターを移動させることができない安全性を向上させたシュレッダーを提供することが可能となる。また、操作レバーは、爪部または該爪部と同等の道具を用いない操作を阻止するガイドカバーで覆われているので、屑容器を引出した後に、作業者が手動で開閉シャッターを移動させようとしても、開閉シャッターは、ロック部材により閉鎖状態に確実にロックされているため、不用意にシャッターを移動させることができない安全性を向上させたシュレッダーを提供することことが可能となる。
【０００９】
請求項２に記載の発明によれば、上記請求項１の効果に加えて、ガイドカバーを簡単に形成することができる。
請求項３に記載の発明によれば、上記請求項２の効果に加えて、一対のカバー部材は、爪部側のガイドカバー前半部が、爪部に向けて末広がり状に幅広に形成され、操作レバーの操作端部が配設されるガイドカバー後半部は、爪部の幅よりもわずかに広い幅に形成されているので、シュレッダーのハウジング内に屑容器を押しこむ際に、屑容器の爪部を末広がり状に幅広に形成されたガイドカバー前半部でガイドできるため、特に、屑容器の装着作業が容易となる。
請求項４に記載の発明によれば、上記請求項１〜３の効果に加えて、ロック部材、操作レバー及びガイドカバーを開閉シャッターに一体に設けたため、開閉シャッターの構成を簡単にすることができる。
【発明を実施するための最良の形態】
【００１０】
本発明の実施の形態に係るシュレッダーを図１〜図６に基づいて説明する。
図１及び図２に示すように、本発明の実施の形態に係るシュレッダーは、基本的に、不用となった紙類を細断する細断装置（図示省略）を内蔵した上部ハウジング１と、この上部ハウジング１の下方に配設される下部ハウジング６と、下部ハウジング６内に出し入れ自在に装着される屑容器４０と、この屑容器４０の出し入れに連動して上部ハウジング１の排出口３を開閉する開閉シャッター１５とから構成されている。
まず、上部ハウジング１は、その上部ハウジング底壁２を下部ハウジング６の上に載置するように構成されており、上部ハウジング底壁２には、細断装置により細断した細断屑を排出する排出口３が開口されている。また、上部ハウジング底壁２には、排出口３を取り囲むように排出口３の周囲に排出口フランジ４が一体に形成されている。さらに、排出口フランジ４の近傍で、上部ハウジング底壁２のほぼ中央部の下面には、後述するロック部材３２が係合されるロック部材係合凹部５が形成されている。
【００１１】
下部ハウジング６は、上部ハウジング１を載置する下部ハウジング上壁７と、屑容器４０を移動自在に支持する下部ハウジング底壁８を備えると共に、下部ハウジング６の前面は、後述する屑容器４０を出し入れするように開口されている。
また、図３に示すように、下部ハウジング上壁７には、上部ハウジング１の排出口３に連通すると共に、後述する開閉シャッター１５を配設する下部ハウジング開口部９が形成されており、この下部ハウジング開口部９の周囲は、前部フランジ１０、後部フランジ１１及び側部フランジ（ガイドレールを兼用）１２で取り囲まれている。そして、この下部ハウジング開口部９の側部フランジ（ガイドレール）１２に沿って後述する開閉シャッター１５が移動自在に装着される。
なお、下部ハウジング上壁７には、各側部フランジ１２の前側外側方に、開閉シャッター１５を閉鎖方向（排出口３を閉鎖する方向）に付勢する開閉シャッター引張ばね２２の一端部を係止するばね係止部１３が形成されている。
そして、図３及び図５に示すように、下部ハウジング開口部９は、開閉シャッター１５が下部ハウジング開口部９を開放する状態では、上部ハウジング１に形成した排出口３と連通される。
【００１２】
屑容器４０は、上面を開放した前壁４１、後壁４２、側壁４３及び底壁からほぼ箱状に形成されている。そして、屑容器４０の前壁４１は下部ハウジング６の前面の開口部とほぼ同じ形状に形成されている。また、屑容器４０の側壁４３は、側壁４３のほぼ中央上端部から後壁４２にかけて長方形状に切り欠かれて、屑容器４０の前壁４１と後壁４２との間に段差部が形成され、この段差部が形成されることにより、側壁４３の上端後部に、屑容器４０を下部ハウジング６内に押し込む際に、後述する開閉シャッター１５の前端部フランジ１６に当接される側壁上端後部４４が形成される。
また、屑容器４０の後壁４２の上端部には、後述する開閉シャッター１５の操作レバー３５の操作端部３７を押し込む爪部４５が上方に突出するように形成されている。この爪部４５の幅は、後述するガイドカバー２５を構成する一対のカバー部材２６、２６の間に沿って移動できるように、一対のカバー部材２６、２６で形成されるガイドカバー後半部２８の溝幅よりわずかに狭い幅に形成されている。
ここで、爪部４５の幅及び一対のカバー部材２６、２６で形成される溝幅は、作業者が指を挿入できない程度の幅に設定されており、爪部４５の幅と同じ程度の幅の特殊な道具を用いない限り、操作レバー３５の操作端部３７を操作して、開閉シャッター１５を開放することはできない。
【００１３】
開閉シャッター１５は、下部ハウジング６の下部ハウジング開口部９の両側部に形成したガイドレール（側部フランジ）１２に沿って移動して、上部ハウジング１の排出口３を開閉して、細断屑を屑容器４０内に排出するように機能するものである。
図３〜図６に示すように、開閉シャッター１５はほぼ長方形状に形成されており、その長手方向の両側部下面に、下部ハウジング開口部９の両側部に形成したガイドレール１２に係合されるガイドフランジ１８（図６参照）が形成されている。また、開閉シャッター１５の長手方向の両側部上面には、上部フランジ１９（図４参照）が形成されており、この上部フランジ１９には、開閉シャッター引張ばね２２の他端部を係止する係止ピン２１を挿通して固定する係止ピン挿通孔２０が形成されている。
さらに、開閉シャッター１５には、図１及び図２に示すように、長手方向前端部下面に前端部フランジ１６が下方に突出するように形成されており、後述するように、この前端部フランジ１６は、屑容器４０の側壁４３の側壁上端後部４４に当接される。
【００１４】
また、開閉シャッター１５には、その後部中央下面にほぼ箱状のロック機構収納部２４が下方に突出するように形成されている。
図５及び図６に示すように、このロック機構収納部２４の下面には、屑容器４０の出し入れ方向に沿って、一対のカバー部材２６、２６からなるガイドカバー２５が下方に突出するように形成されている。
このガイドカバー２５は、その前端部、すなわち、屑容器４０の爪部４５に対向する側が、爪部４５に向けて末広がりとなるように幅広のガイドカバー前半部２７に形成されると共に、その後端側、すなわち、操作レバー３５の操作端部３７が配設される側が、爪部４５の幅よりもわずかに広い幅のガイドカバー後半部２８に形成されている。この左右のガイド部材２６、２６により構成されるガイドカバー後半部２８が配設されるロック機構収納部２４の下面に、操作レバー３５の一端部である操作端部３７が下方に突出するように挿通される操作端部挿通孔３０が形成されている。ここで、一対のガイド部材２６、２６は、少なくとも、ガイドカバー後半部２８の下方への突出高さは、操作レバー３５の操作端部３７が下方に突出する高さよりも大きく形成されている。
【００１５】
また、ロック機構収納部２４には、その上面部前方にロック部材挿通孔２９が形成されると共に、上面部後方下面に操作レバー支持部３１が下方に突出するように垂設されており、この操作レバー支持部３１の下部に、操作レバー３５の屈曲した中間部が枢軸３８により揺動自在に枢着される。
また、ロック機構収納部２４内には、ロック部材３２が、その上端がロック部材挿通孔２９から上方に突出するように、ロック部材引張ばね３４により上方へ付勢された状態で設けられている。さらに、ロック部材３２の下部には、操作レバー３５の作動端部３６が挿通される作動端部挿通孔３３が形成されている。
【００１６】
そして、本発明の実施の形態に係るシュレッダーは、以下のように組み付けられる。
まず、図３〜図６に示すように、下部ハウジング６の下部ハウジング上壁７に形成した下部ハウジング開口部９の両側に形成したガイドレール１２に、開閉シャッター１５の両側下面に形成したガイドフランジ１８を係合させて、ロック機構収納部２４が下方となるように開閉シャッター１５を下部ハウジング上壁７上に配設する（図１及び図２参照）。
次に、開閉シャッター引張ばね２２の一端部を下部ハウジング上壁７に形成したばね係止部１３に係止させると共に、開閉シャッター引張ばね２２の他端部を、開閉シャッター１５の上部フランジ１９に形成した係止ピン挿通孔２０に、係止ピン２１を介して取り付ける。この状態では、図２に示すように、ロック部材３２の上端はロック部材挿通孔２９から上方に突出しており、また、開閉シャッター１５は、開閉シャッター引張ばね２２の付勢力により下部ハウジング開口部９の前部フランジ１０に当接されている。
【００１７】
次に、開閉シャッター１５を配設した下部ハウジング６の上に、細断装置を内蔵した上部ハウジング１を載置して装着する。その際に、上部ハウジング１の上部ハウジング底壁２の下面に形成したロック部材係合凹部５に、開閉シャッター１５のロック部材挿通孔２９から上方に突出しているロック部材３２の上端部が嵌合されるように、上部ハウジング１を下部ハウジング６の上に載置する（図２に示すロック位置）。
最後に、下部ハウジング６の前面から、屑容器４０を挿入して押し込むと、図１に示すように、屑容器４０の後壁４２の上端部に形成した爪部４５が操作レバー３５の操作端部３７を押すことにより、操作レバー３５の作動端部３６を介してロック部材３２が下方に押し下げられて、ロック部材３２の上端部とロック部材係合凹部５との係合が解除される。また、屑容器４０の側壁４３の側壁上端後部４４が開閉シャッター１５の前端部フランジ１６に当接して、側壁上端後部４４により開閉シャッター１５の前端部フランジ１６が押し込まれる。
この状態で、屑容器４０が下部ハウジング６内に押し込まれて、開閉シャッター１５により閉鎖されていた上部ハウジング１の排出口３が開放されて、細断装置で細断した細断屑を排出できる状態となる（図１に示す屑容器の受容位置）。
【００１８】
本発明の実施の形態に係るシュレッダーでは、特に、下部ハウジング６への屑容器４０の押し込み動作の際に、屑容器４０の後壁４２の上端部に形成した爪部４５により操作レバー３５の操作端部３７を押し込む場合、ガイドカバー２５は、幅広のガイドカバー前半部２７と、爪部４５の幅よりもわずかに広い幅のガイドカバー後半部２８とを備えた一対のカバー部材２６，２６から形成されているため、屑容器４０の爪部４５の位置が左右に多少ずれている場合でも、爪部４５は、幅広のガイドカバー前半部２７に沿うように案内されて、ガイドカバー後半部２８に位置する操作レバー３５の操作端部３７を確実に押し込むことができる。
【００１９】
また、本発明の実施の形態に係るシュレッダーでは、ガイドカバー２５は、操作レバー３５の操作端部３７が配設される部位、すなわち、ガイドカバー後半部２８が、爪部４５の幅よりもわずかに広い幅に形成されているので、例えば、作業者が、左右のガイド部材２６、２６の間に位置する操作レバー３５の操作端部３７を押し込んで、開閉シャッター１５を手動で開放しようとした場合でも、爪部４５の幅と同じ程度の幅の特殊な道具を用いない限り、操作端部３７を押し込むことはできない。
したがって、例えば、作業者が、下部ハウジング６から屑容器４０を取り出して、排出口３から垂れ下がった細断屑を取り除こうとした場合でも、操作レバー３５の操作端部３７を操作することができないので、開閉シャッター１５を開放することはできない。また、開閉シャッター１５を開放することができないため、作業者が、上部ハウジング１の排出口３から内部に侵入することは不可能となり、シュレッダーの安全性をさらに向上させることが可能となる。
【図面の簡単な説明】
【００２０】
【図１】本発明の実施の形態に係るシュレッダーの要部断面図であり、シュレッダー内に屑容器が装着され、開閉シャッターが開放された状態（ロック部材の非ロック位置及び屑容器の受容位置）を示す図である。
【図２】本発明の実施の形態に係るシュレッダーの要部断面図であり、シュレッダーから屑容器が引出され、開閉シャッターが閉鎖された状態（ロック部材のロック位置及び屑容器の引出位置）を示す図である。
【図３】本発明の実施の形態に係るシュレッダーを構成する下部ハウジングの上面に配設された開閉シャッターが開放された状態を示す要部平面図である。
【図４】図３の開閉シャッターの平面図である。
【図５】図３の背面図である。
【図６】図４の開閉シャッターの背面図である。
【図７】従来のシュレッダーの要部断面図であり、シュレッダー内に屑容器が装着され、シャッターが開放された状態を示す図である。
【図８】従来のシュレッダーの要部断面図であり、シュレッダーから屑容器が引出され、シャッターが閉鎖された状態を示す図である。
【符号の説明】
【００２１】
１  上部ハウジング
２  上部ハウジング底壁
３  排出口
４  排出口フランジ
５  ロック部材係合凹部
６  下部ハウジング
７  下部ハウジング上壁
８  下部ハウジング底壁
９  下部ハウジング開口部
１０  前部フランジ
１１  後部フランジ
１２  ガイドレール（側部フランジ）
１３  ばね係止部
１５  開閉シャッター
１６  前端部フランジ
１８  ガイドフランジ
１９  上部フランジ
２０  係止ピン挿通孔
２１  係止ピン
２２  開閉シャッター引張ばね
２３  ばね係止部
２４  ロック機構収納部
２５  ガイドカバー
２６  カバー部材
２７  ガイドカバー前半部（カバー部材）
２８  ガイドカバー後半部（カバー部材）
２９  ロック部材挿通孔
３０  操作端部挿通孔
３１  操作レバー支持部
３２  ロック部材
３３  作動端部挿通孔
３４  ロック部材引張ばね
３５  操作レバー
３６  作動端部
３７  操作端部
３８  枢軸
４０  屑容器
４１  前壁
４２  後壁
４３  側壁
４４  側壁上端後部
４５  爪部
【図１】
0004816880.tif 000002
【図２】
0004816880.tif 000003
【図３】
0004816880.tif 000004
【図４】
0004816880.tif 000005
【図５】
0004816880.tif 000006
【図６】
0004816880.tif 000007
【図７】
0004816880.tif 000008
【図８】
0004816880.tif 000009